(57)【要約】【課題】複数の文書を集約してレイアウトすると共に、集約された文書から遡って、簡単にオリジナル文書を閲覧できるレイアウト印刷システム、レイアウト文書閲覧方法、及びプログラムを提供することを課題とする。【解決手段】本発明に係るレイアウト印刷システムであって、印刷画像作成装置は、記憶装置から前記複数の電子データを前記文書ＩＤと共に取得する取得手段と、帳票タイプを識別する識別手段と、帳票タイプから前記複数の電子データ毎に重み値を決定する重み値決定手段と、複数の電子データ毎の重み値に基づいて、複数の電子データを、レイアウトテンプレートにレイアウトするとともに、文書ＩＤと対応付けた識別情報を付して、印刷画像データを作成する印刷画像作成手段とを有し、表示装置は、識別情報読取装置を備え、識別情報に対応する電子データを前記記憶装置から取得して表示する。【選択図】図１
2010039943.tif 000002
【特許請求の範囲】
【請求項１】
固有の文書ＩＤを付した複数の電子データを記憶する記憶装置と、前記電子データから印刷画像データを作成する印刷画像作成装置と、前記印刷画像データを印刷する印刷装置と、前記電子データを表示する表示装置とからなるレイアウト印刷システムであって、
前記印刷画像作成装置は、
前記記憶装置から前記複数の電子データを前記文書ＩＤと共に取得する取得手段と、
前記取得手段により取得された前記複数の電子データ毎に帳票タイプを識別する識別手段と、
前記識別手段により識別された帳票タイプから前記複数の電子データ毎に重み値を決定する重み値決定手段と、
前記重み値決定手段により決定された前記複数の電子データ毎の重み値に基づいて、前記複数の電子データを、複数の領域を有するレイアウトテンプレートにレイアウトするとともに、前記文書ＩＤと対応付けた識別情報を付して、印刷画像データを作成する印刷画像作成手段とを有し、
前記表示装置は、
印刷媒体に印刷された前記識別情報を読み取る識別情報読取装置を備え、
前記識別情報読取装置により読み取られた識別情報に対応する電子データを前記記憶装置から取得して表示すること、
を特徴とするレイアウト印刷システム。
【請求項２】
固有の文書ＩＤを付した複数の電子データを記憶する記憶装置と、前記電子データから印刷画像データを作成する印刷画像作成装置と、前記印刷画像データを印刷する印刷装置と、前記電子データを表示する表示装置とからなるレイアウト印刷システムであって、
前記印刷画像作成装置は、
前記記憶装置から前記複数の電子データを前記文書ＩＤと共に取得する取得手段と、
前記取得手段により取得された前記複数の電子データ毎に帳票タイプを識別する識別手段と、
前記識別手段により識別された帳票タイプから前記複数の電子データ毎に重み値を決定する重み値決定手段と、
前記重み値決定手段により決定された前記複数の電子データ毎の重み値に基づいて、前記複数の電子データを、複数の領域を有するレイアウトテンプレートにレイアウトするとともに、１の固有の識別情報を付して、印刷画像データを作成する印刷画像作成手段と、
前記印刷画像作成手段により作成された印刷画像データに対応するリンクページであって、前記複数の電子データ毎の前記文書ＩＤをリンク情報として埋め込んでリンクページを作成するリンクページ作成手段と、
前記リンクページ作成手段により作成されたリンクページと、前記印刷画像作成手段により付された前記識別情報とを、前記記憶装置に送信する送信手段とを有し、
前記表示装置は、
印刷媒体に印刷された前記識別情報を読み取る識別情報読取装置を備え、
前記識別情報読取装置により読み取られた識別情報に対応するリンクページを前記記憶装置から取得して表示すること、
を特徴とするレイアウト印刷システム。
【請求項３】
前記印刷画像作成装置は、
帳票タイプと、当該帳票タイプに含まれる線分の交点を特徴量とを対応付けて登録された帳票辞書を有し、
前記識別手段は、前記取得手段により取得された前記複数の電子データ毎に含まれる線分の交点を特徴量して抽出し、前記帳票辞書に登録された特徴量と一致する帳票タイプを、当該複数の電子データ毎の帳票タイプとして識別すること、
を特徴とする請求項１又は２に記載のレイアウト印刷システム。
【請求項４】
前記印刷画像作成装置は、
文字列と、帳票タイプとを対応付けて登録された帳票辞書と、
前記取得手段により取得された前記複数の電子データ毎に、当該電子データから文字列を取得する文字列取得手段とを有し、
前記識別手段は、前記文字列取得手段により取得された文字列から、前記帳票辞書に登録された文字列と一致する帳票タイプを、当該複数の電子データ毎の帳票タイプとして識別すること、
を特徴とする請求項１又は２に記載のレイアウト印刷システム。
【請求項５】
前記印刷画像作成装置は、
帳票タイプと、当該帳票タイプの重み値とを対応付けて登録された帳票辞書を有し、
前記重み値決定手段は、前記識別手段により識別された帳票タイプに対応する重み値を、前記複数の電子データ毎の重み値として決定すること、
を特徴とする請求項１ないし４いずれか一項に記載のレイアウト印刷システム。
【請求項６】
前記印刷画像作成装置は、
文字列と、当該文字列の重み値とを対応付けて登録された文字列辞書を有し、
前記重み値決定手段は、前記複数の電子データ毎に含まれる文字列が前記文字列辞書の文字列と一致する場合、当該文字列に対応する重み値をさらに加減算すること、
を特徴とする請求項５に記載のレイアウト印刷システム。
【請求項７】
前記印刷画像作成装置は、
帳票タイプと、当該帳票タイプと認識された電子データから切り出されるべき矩形領域情報とを対応付けて登録された切り出し辞書と、
前記識別手段により識別された帳票タイプが、前記切り出し辞書に登録された帳票タイプと一致する場合、当該帳票タイプと識別された電子データから、当該帳票タイプに対応する矩形領域情報に基づいて矩形領域を切り出す切り出し手段とを有し、
前記切り出し手段により切り出された矩形領域情報は、１の電子データとして、前記複数の電子データに追加されること、
を特徴とする請求項１ないし６いずれか一項に記載のレイアウト印刷システム。
【請求項８】
前記識別情報は、１次元又は２次元バーコードであること、
を特徴とする請求項１ないし７いずれか一項に記載のレイアウト印刷システム。
【請求項９】
前記レイアウトテンプレートは、レイアウトに関する座標情報を、レイアウトテンプレート全体に対する割合情報として有すること、
を特徴とする請求項１ないし８いずれか一項に記載のレイアウト印刷システム。
【請求項１０】
固有のＩＤを付した複数の電子データを記憶する記憶装置と、前記電子データから印刷画像データを作成する印刷画像作成装置と、前記印刷画像データを印刷する印刷装置と、前記電子データを表示する表示装置とからなるレイアウト印刷システムにおけるレイアウト文書閲覧方法であって、
前記印刷画像作成装置が、
前記記憶装置から前記複数の電子データを前記文書ＩＤと共に取得する取得工程と、
前記取得工程により取得された前記複数の電子データ毎に帳票タイプを識別する識別工程と、
前記識別工程により識別された帳票タイプから前記複数の電子データ毎に重み値を決定する重み値決定工程と、
前記重み値決定工程により決定された前記複数の電子データ毎の重み値に基づいて、前記複数の電子データを、複数の領域を有するレイアウトテンプレートにレイアウトするとともに、前記文書ＩＤと対応付けた識別情報を付して、印刷画像データを作成する印刷画像作成工程とを有し、
印刷媒体に印刷された前記識別情報を読み取る識別情報読取装置を備える前記表示装置が、
前記識別情報読取装置により読み取られた識別情報に対応する電子データを前記記憶装置から取得して表示する表示工程と、
を有することを特徴とするレイアウト文書閲覧方法。
【請求項１１】
固有の文書ＩＤを付した複数の電子データを記憶する記憶装置と、前記電子データから印刷画像データを作成する印刷画像作成装置と、前記印刷画像データを印刷する印刷装置と、前記電子データを表示する表示装置とからなるレイアウト印刷システムにおけるレイアウト文書閲覧方法であって、
前記印刷画像作成装置が、
前記記憶装置から前記複数の電子データを前記文書ＩＤと共に取得する取得工程と、
前記取得工程により取得された前記複数の電子データ毎に帳票タイプを識別する識別手段と、
前記識別工程により識別された帳票タイプから前記複数の電子データ毎に重み値を決定する重み値決定工程と、
前記重み値決定工程により決定された前記複数の電子データ毎の重み値に基づいて、前記複数の電子データを、複数の領域を有するレイアウトテンプレートにレイアウトするとともに、１の固有の識別情報を付して、印刷画像データを作成する印刷画像作成工程と、
前記印刷画像作成工程により作成された印刷画像データに対応するリンクページであって、前記複数の電子データ毎の前記文書ＩＤをリンク情報として埋め込んでリンクページを作成するリンクページ作成工程と、
前記リンクページ作成工程により作成されたリンクページと、前記印刷画像作成工程により付された前記識別情報とを、前記記憶装置に送信する送信工程とを有し、
印刷媒体に印刷された前記識別情報を読み取る識別情報読取装置を備える前記表示装置が、
前記識別情報読取装置により読み取られた識別情報に対応するリンクページを前記記憶装置から取得して表示する表示工程と、
を有することを特徴とするレイアウト文書閲覧方法。
【請求項１２】
請求項１０又は１１に記載のレイアウト文書閲覧方法をコンピュータに実行させるためのプログラム。
【発明の詳細な説明】
【技術分野】
【０００１】
本発明は、レイアウト印刷システム、レイアウト文書閲覧方法、及びプログラムの分野に関する。
【背景技術】
【０００２】
業務の効率化の観点から業務書類の電子化が進んでいる。以前と比べ、業務書類は電子化されて取り扱われるようになってきた。しかしながらその一方で、紙ベースで処理されている場合も、依然多く見受けられる。
【０００３】
紙ベースでの事務処理は、概して煩雑になりがちである。書類群は、紙の順番が入れ替わったり、ばらばらになったり、紛失したりしないよう、クリップやステイプラ等で整理される。しかし、いくらファイリング整理されたとしても、参照される際には、紙を何度もめくったり戻したりして、異なるページのコンテンツを見比べるなどする必要がある。ここでいえることは、書類は、その取り扱いページ数（枚数）が少なければ少ないほど扱いやすく、作業効率が高いということである。また、紙の印刷枚数が少ないほど環境にもやさしい。したがって、効率的に紙を利用した業務を行うために、複数の紙を1枚ないし少ない枚数にコンテンツを見やすくレイアウトして集約する技術が求められる。
【０００４】
特許文献１に記載される発明は、複数の紙を見やすくレイアウトして集約する技術であって、コンテンツのレイアウトをする際にユーザが設定する優先順位に基づき、コンテンツの大きさを調整することができるものである。また、特許文献２に記載される発明によれば、マルチページ印刷のために各ページの凹凸をはめ込むことでレイアウトの調整を行い、より少ない枚数で印刷することができる。
【特許文献１】特開２００６−４８５３２号公報
【特許文献２】特開２００５−１８３９９号公報
【発明の開示】
【発明が解決しようとする課題】
【０００５】
しかしながら、従来これらの方法では、紙を用いた作業を効率化する観点から十分といえない。特許文献１に記載される発明は、ユーザが重要であるとして重み付けを大きくしたコンテンツは大きく印刷されてその視認性もよくなるが、それ以外のコンテンツは小さすぎて業務をするに十分な大きさを保つことができない場合がある。また、ユーザ作業による重み付け作業が必要である。また、特許文献１に記載される発明は、凹凸をはめ込むことである程度は個々の印刷サイズを改善できるが、それでも多くの枚数のページを1枚に集約しようとすると、そのどれもが小さすぎて見えなくなってしまう。
【０００６】
つまり、従来の技術では複数枚数のドキュメントを1枚、もしくは出来る限り少ない枚数の紙にまとめて印刷しようとした場合、小さすぎて見えなくなってしまうページが存在してしまう。また、そのような場合、オリジナル文書に遡るなどしてページの内容を確認する作業が必要となり、業務効率が著しく低下することが懸念される。
【０００７】
そこで本発明では上記のような問題に鑑みて、複数の文書を集約してレイアウトすると共に、集約された文書から遡って、簡単にオリジナル文書を閲覧できるレイアウト印刷システム、レイアウト文書閲覧方法、及びプログラムを提供することを目的とする。
【課題を解決するための手段】
【０００８】
上記課題を解決するため、本発明に係るレイアウト印刷システムは、固有の文書ＩＤを付した複数の電子データを記憶する記憶装置と、前記電子データから印刷画像データを作成する印刷画像作成装置と、前記印刷画像データを印刷する印刷装置と、前記電子データを表示する表示装置とからなるレイアウト印刷システムであって、前記印刷画像作成装置は、前記記憶装置から前記複数の電子データを前記文書ＩＤと共に取得する取得手段と、前記取得手段により取得された前記複数の電子データ毎に帳票タイプを識別する識別手段と、前記識別手段により識別された帳票タイプから前記複数の電子データ毎に重み値を決定する重み値決定手段と、前記重み値決定手段により決定された前記複数の電子データ毎の重み値に基づいて、前記複数の電子データを、複数の領域を有するレイアウトテンプレートにレイアウトするとともに、前記文書ＩＤと対応付けた識別情報を付して、印刷画像データを作成する印刷画像作成手段とを有し、前記表示装置は、印刷媒体に印刷された前記識別情報を読み取る識別情報読取装置を備え、前記識別情報読取装置により読み取られた識別情報に対応する電子データを前記記憶装置から取得して表示することを特徴とする。
【０００９】
また、上記課題を解決するため、本発明に係るレイアウト印刷システムは、固有の文書ＩＤを付した複数の電子データを記憶する記憶装置と、前記電子データから印刷画像データを作成する印刷画像作成装置と、前記印刷画像データを印刷する印刷装置と、前記電子データを表示する表示装置とからなるレイアウト印刷システムであって、前記印刷画像作成装置は、前記記憶装置から前記複数の電子データを前記文書ＩＤと共に取得する取得手段と、前記取得手段により取得された前記複数の電子データ毎に帳票タイプを識別する識別手段と、前記識別手段により識別された帳票タイプから前記複数の電子データ毎に重み値を決定する重み値決定手段と、前記重み値決定手段により決定された前記複数の電子データ毎の重み値に基づいて、前記複数の電子データを、複数の領域を有するレイアウトテンプレートにレイアウトするとともに、１の固有の識別情報を付して、印刷画像データを作成する印刷画像作成手段と、前記印刷画像作成手段により作成された印刷画像データに対応するリンクページであって、前記複数の電子データ毎の前記文書ＩＤをリンク情報として埋め込んでリンクページを作成するリンクページ作成手段と、前記リンクページ作成手段により作成されたリンクページと、前記印刷画像作成手段により付された前記識別情報とを、前記記憶装置に送信する送信手段とを有し、前記表示装置は、印刷媒体に印刷された前記識別情報を読み取る識別情報読取装置を備え、前記識別情報読取装置により読み取られた識別情報に対応するリンクページを前記記憶装置から取得して表示することを特徴とする。
【００１０】
また、上記課題を解決するため、前記レイアウト印刷システムにおいて、前記印刷画像作成装置は、帳票タイプと、当該帳票タイプに含まれる線分の交点を特徴量とを対応付けて登録された帳票辞書を有し、前記識別手段は、前記取得手段により取得された前記複数の電子データ毎に含まれる線分の交点を特徴量して抽出し、前記帳票辞書に登録された特徴量と一致する帳票タイプを、当該複数の電子データ毎の帳票タイプとして識別することを特徴とする。
【００１１】
また、上記課題を解決するため、前記レイアウト印刷システムにおいて、前記印刷画像作成装置は、文字列と、帳票タイプとを対応付けて登録された帳票辞書と、前記取得手段により取得された前記複数の電子データ毎に、当該電子データから文字列を取得する文字列取得手段とを有し、前記識別手段は、前記文字列取得手段により取得された文字列から、前記帳票辞書に登録された文字列と一致する帳票タイプを、当該複数の電子データ毎の帳票タイプとして識別することを特徴とする。
【００１２】
また、上記課題を解決するため、前記レイアウト印刷システムにおいて、前記印刷画像作成装置は、帳票タイプと、当該帳票タイプの重み値とを対応付けて登録された帳票辞書を有し、前記重み値決定手段は、前記識別手段により識別された帳票タイプに対応する重み値を、前記複数の電子データ毎の重み値として決定することを特徴とする。
【００１３】
また、上記課題を解決するため、前記レイアウト印刷システムにおいて、前記印刷画像作成装置は、文字列と、当該文字列の重み値とを対応付けて登録された文字列辞書を有し、前記重み値決定手段は、前記複数の電子データ毎に含まれる文字列が前記文字列辞書の文字列と一致する場合、当該文字列に対応する重み値をさらに加減算することを特徴とする。
【００１４】
また、上記課題を解決するため、前記レイアウト印刷システムにおいて、前記印刷画像作成装置は、帳票タイプと、当該帳票タイプと認識された電子データから切り出されるべき矩形領域情報とを対応付けて登録された切り出し辞書と、前記識別手段により識別された帳票タイプが、前記切り出し辞書に登録された帳票タイプと一致する場合、当該帳票タイプと識別された電子データから、当該帳票タイプに対応する矩形領域情報に基づいて矩形領域を切り出す切り出し手段とを有し、前記切り出し手段により切り出された矩形領域情報は、１の電子データとして、前記複数の電子データに追加されることを特徴とする。
【００１５】
また、上記課題を解決するため、前記レイアウト印刷システムにおいて、前記識別情報は、１次元又は２次元バーコードであることを特徴とする。
【００１６】
また、上記課題を解決するため、前記レイアウト印刷システムにおいて、前記レイアウトテンプレートは、レイアウトに関する座標情報を、レイアウトテンプレート全体に対する割合情報として有することを特徴とする。
【００１７】
なお、本発明の構成要素、表現または構成要素の任意の組合せを、方法、装置、システム、コンピュータプログラム、記録媒体、などに適用したものも本発明の態様として有効である。
【発明の効果】
【００１８】
本発明によれば、複数の文書を集約してレイアウトすると共に、集約された文書から遡って、簡単にオリジナル文書を閲覧できるレイアウト印刷システム、レイアウト文書閲覧方法、及びプログラムを提供することができる。
【発明を実施するための最良の形態】
【００１９】
以下、本発明を実施するための最良の形態を各実施形態において図面を用いて説明する。
【００２０】
＜システム構成＞
（ネットワーク）
はじめに、具体的な発明の内容を説明する前に、本発明を実施するにあたってシステム構成について説明する。図１は、本発明によるレイアウト印刷システム１００のネットワーク構成図である。複合機（印刷装置）１と、記憶装置２と、画像作成サーバ（印刷画像作成装置）３と、端末（表示装置）４とがネットワーク５を介して接続されている。
【００２１】
複合機１は、コピー機能、ファクシミリ（ＦＡＸ）機能、プリント機能、スキャナ機能及び入力画像を配信する機能等を複合したいわゆるＭＦＰ（Multi Function Peripheral）と称されるデジタル複合機である。本実施形態においては、特にＦＡＸの受信と印刷画像データの印刷（プリント）とを行なう。記憶装置２は、複合機１が受信したＦＡＸからの電子データ（画像データ）を記憶（保存）する記憶装置である。画像作成サーバ３は、画像レイアウトサーバともいえ、記憶装置２に記憶された複数の画像データ（ＦＡＸデータ）をレイアウトテンプレートに見やすいように集約して、印刷画像データを作成する。端末（表示装置）４は、ディスプレイを備えるＰＣ（Personal Computer）などのユーザ端末である。周辺機器としてバーコードリーダ（Barcode Reader）を備える。ネットワーク５は、有線、無線を含むネットワークである。
【００２２】
なお、レイアウト印刷システム１００は、本発明の一実施形態を説明するにあたっての一構成例を示したものであり、画像作成サーバ３や記憶装置２は、内部の機能を異なる装置（複合機１等）上に構築してしてもよい。
【００２３】
本発明によるレイアウト印刷システム１００は、上記のネットワーク構成の上、実現される。システム概要として、画像作成サーバ３は、複数枚数の文書データ（電子データ）を取得すると、その文書データの各ページを縮小して、1枚もしくは少ない枚数のレイアウトにまとめて集約する。また、その集約とともに、オリジナル文書へのリンクを付しておく。画像作成サーバ３により作成された印刷画像データは、複合機１により印刷文書（集約文書）として紙媒体に印刷される。ユーザは、印刷された印刷文書を用いて、効率的に業務を遂行する。ここで、印刷文書のあるページ画像の視認性が悪く、もしくはあるページ画像を詳細に参照したい場合には、ユーザは端末４のバーコードリーダでもってリンクの読み取りを行なう。すると、端末４のディスプレイには、そのオリジナル文書が表示される。このようにして、レイアウト印刷システム１００によれば、集約された文書から遡って、簡単にオリジナル文書を閲覧することができる。続けて、詳細に説明していく。
【００２４】
（ハードウェア）
次いで、本発明に係る画像作成サーバ（印刷画像作成装置）３のハードウェア及び機能構成について説明し、複合機１、記憶装置２、及び端末（表示装置）４については公知の装置であるのでその説明は省略することとする。
【００２５】
図２は、本発明による画像作成サーバ３の一実施形態の主要構成を示すハードウェア構成図である。画像作成サーバ３は、主要な構成として、ＣＰＵ２０１、ＲＯＭ（Read Only Memory）２０２、ＲＡＭ（Random Access Memory）２０３、補助記憶装置２０４、記憶媒体読取装置２０５、入力装置２０６、表示装置２０７、及び通信装置２０８を含む構成である。
【００２６】
ＣＰＵ２０１は、マイクロプロセッサ及びその周辺回路から構成され、画像作成サーバ全体を制御する回路である。また、ＲＯＭ２０２は、ＣＰＵ２０１で実行される所定の制御プログラム（ソフトウェア部品）を格納するメモリであり、ＲＡＭ２０３は、ＣＰＵ２０１がＲＯＭ２０２に格納された所定の制御プログラム（ソフトウェア部品）を実行して各種の制御を行うときの作業エリア（ワーク領域）として使用するメモリである。
【００２７】
補助記憶装置２０４は、汎用のＯＳ（Operating System）、本発明に係るプログラム、帳票辞書、レイアウトテンプレートなどを含む各種情報を格納する装置であり、不揮発性の記憶装置であるＨＤＤ（Hard Disk Drive）などが用いられる。なお、上記各種情報は、補助記憶装置２０４以外にも、ＣＤ−ＲＯＭ（Compact Disk - ROM）やＤＶＤ（Digital Versatile Disk）などの記憶媒体やその他のメディアを記憶されてもよく、これらの記憶媒体に格納された各種情報は、記憶媒体読取装置２０５などのドライブ装置を介して読み取ることが可能である。よって、必要に応じて記録媒体を記憶媒体読取装置２０５にセットすることで、各種情報が得られる。
【００２８】
入力装置２０６は、ユーザが各種入力操作を行うための装置である。入力装置２０６は、マウス、キーボード、表示装置２０７の表示画面上に重畳するように設けられたタッチパネルスイッチなどを含む。表示装置２０７は、プロジェクト管理に係る各種データを表示画面に表示する装置である。例えば、ＬＣＤ(Liquid Crystal Display)、ＣＲＴ(Cathode Ray Tube)などから構成される。次に、通信装置３は、ネットワーク５上の装置との通信を行う装置である。有線ネットワークや無線ネットワークなど含む各種ネットワーク形態に応じた通信をサポートする。以上、画像作成サーバ３のハードウェア構成である。
【００２９】
（機能）
図３は、本発明の実施形態に係る画像作成サーバ３の一実施形態の主要機能を示す機能ブロック図である。画像作成サーバ３は、主要な機能として、取得部３０１、識別部３０２、及び印刷画像作成部３０３を有する。また、帳票辞書３０４と、レイアウトテンプレート３０５とを備えている。以下、各機能部について説明する。
【００３０】
取得部３０１は、記憶装置２から複数の電子データ（ページデータ）を文書ＩＤと共に取得する機能を有している。本実施形態において、取得される電子データは、画像データに相当する。複合機１のＦＡＸ機能によって受信されたＦＡＸの画像データが、記憶装置２に記憶されるためである。もちろん、画像データに限られる訳でなく、テキストと線分（ベクターデータ）データを含むファイル形式の電子データなど本発明を適用可能な電子データであればよい。また、この文書ＩＤは電子データ毎に付された固有の値である。
【００３１】
識別部３０２は、取得部３０１により取得された複数の電子データ毎に帳票タイプを識別する機能を有している。また、識別された帳票タイプから複数の電子データ毎に重み値を決定する（重み値決定部）。
【００３２】
ここで、帳票タイプを識別にする際には、帳票辞書３０４が参照される。詳しくは後述するが、帳票辞書３０４は、帳票画像データにおける線分の交点を利用した特徴量抽出アルゴリズムによりあらかじめ特徴量と、対応する帳票タイプが登録されたものである。入力された電子データ（画像データ）に対して同様に特徴量抽出処理を行って特徴量を抽出し、帳票辞書３０４の特徴量との比較からどの帳票タイプであるかが特定される。また、帳票辞書３０４には、帳票タイプに対応して重み値が登録されている。よって、帳票タイプが識別されると、併せて重み値が決定される。この重み値は、レイアウトの大きさ（縮尺）に反映される。
【００３３】
ここで、帳票タイプを識別する別の方法として、識別部３０２は、電子データに含まれる文字列から帳票タイプを識別することもできる。具体的には、文字列と、帳票タイプとを対応付けて登録されたデータ構造を有するような帳票辞書を設けておき、取得部３０１により取得された前記複数の電子データ毎から文字列を取得（文字列取得手段）して、取得された文字列から、帳票辞書に登録された文字列と一致する帳票タイプを当該複数の電子データ毎の帳票タイプとして識別する。電子データに「請求書」という文字列が含まれているのであれば、まさにその電子データは帳票タイプ「請求書」である可能性が高いからである。また、「請求書」という文字列は、一般に大きい文字サイズで、文書上所定の位置（例えば、上方、中央部等）記載される傾向がある。よって、この傾向を考慮して識別条件に利用すれば、より高い精度で文字列から帳票タイプを識別することが可能である。この方法によれば、電子データに含まれる文字列そのものでもって帳票タイプを識別するので、特徴量抽出処置等は不要となり、プログラムの単純化、処理速度向上の観点から好適である。但し以下本実施形態では、特徴量を利用して帳票タイプを識別された場合の例を用いて、説明していくものとする。
【００３４】
印刷画像作成部３０３は、決定された複数の電子データ毎の重み値に基づいて、複数の電子データをページ画像として、複数の領域を有するレイアウトテンプレートにレイアウトするとともに、文書ＩＤと対応付けた識別子（例えば、バーコード）を付して、印刷画像データを作成する機能を有している。作成された印刷画像データは、複合機１により紙などの印刷媒体に印刷される。印刷媒体には、複数のページ画像が縮小レイアウトされて印刷される。また、レイアウトされた複数のページ画像の近辺に、文書ＩＤをエンコードしたバーコードが付されて印刷されており、端末４のバーコードリーダで読み取られると、端末４のディスプレイに対応する電子データが表示される。
【００３５】
なお、取得部３０１、識別部３０２、及び印刷画像作成部３０３の機能は、実際にはＣＰＵ２０１が実行するプログラムにより実現されるものである。
【００３６】
（帳票辞書）
図４、６は、帳票辞書３０４のデータ構造を説明する模式図である。帳票辞書３０４は、予め業務などで取り扱われる雛形帳票（フォーマット）から作成され、テーブル３０４−１、テーブル３０４−２に示されるように、帳票ＩＤと、その帳票の特徴量（座標情報）と、帳票名と、重み値等とが登録されている。
【００３７】
図４を参照し、テーブル３０４−１について、具体的には、雛形帳票から線分の交点を利用した特徴量抽出アルゴリズム（公知技術による）により特徴量を抽出する。即ち、雛形帳票を識別するため、その雛形帳票に描画される線分から交点を算出し、その交点情報をその雛形帳票の特徴量として抽出する。そして、入力された電子データ（画像データ）に対して同様に特徴量抽出処理を行って特徴量（交点情報）を抽出し、帳票辞書３０４に登録された雛形帳票の特徴量との比較から、どの帳票タイプ（雛形帳票）に該当するかが特定される。この特定処理は、特徴量（特徴量値）が完全一致する場合はもちろんのこと、誤差を勘案して、近似値、即ち特徴量の所定範囲を許容範囲として、この所定範囲内に収まる場合も含めて特徴量の一致とみなす。電子データ読取時の誤差や交点のズレ等を吸収するためである。図５は、帳票タイプの一例を示す図である。帳票ＩＤが「１」である帳票タイプ（雛形帳票）を示す。予め特徴量が抽出されて帳票辞書３０４に登録される。なお、入力された電子データが、画像データではなく、線分情報（ベクターデータ）を含むファイル形式の電子データであれば、特徴量抽出処理を行うまでもなく、ベクターデータから特徴量（交点情報）を抽出できる。
【００３８】
また、テーブル３０４−２について、テーブル３０４−１で帳票タイプ（帳票ＩＤ）が識別されてから、その帳票タイプ（帳票ＩＤ）に対応して規定された重み値が登録されている。この重み値は、レイアウトの大きさ（縮尺）に反映される。重み値は予めユーザによって定められる値である。重要な帳票や細かい帳票など、大きくレイアウトしたい帳票タイプには、大きな重み値が付される。
【００３９】
また、図６を参照し、テーブル３０４−３（文字列辞書）で、所定の文字列（ＯＣＲ、言語解析処理等により抽出）が含まれる帳票については重み値を加算（減算）する。帳票タイプ（帳票ＩＤ）から重み値を決定するだけでなく、帳票に含まれる文字列によって重み値を変化させることで、柔軟にレイアウトに反映できる。例えば、電子データ内に「至急」なる文字列が含まれる場合、当該帳票は至急を要するものであることを意味し、大きくレイアウトを取ることで、印刷媒体上注目を引くことができる。また、「△△商事」なる文字列が含まれる場合、当該帳票は重要取引先からのものであることを意味し、大きくレイアウトを取ることで、印刷媒体上注目を引くことができる。このように帳票辞書３０４は、柔軟に重み値を付与できる構成とされる。
【００４０】
また、テーブル３０４−４（切り出し辞書）は、特定の帳票（ＩＤ）において、特定の領域を切り出して、１つのページ画像として扱ってレイアウトを行なう領域（矩形領域情報）が規定される。例えば、帳票ＩＤ１の請求書において、金額が記載される領域は重要なので特に抜き出して大きくレイアウトを取りたいといった場合に有効である。また、切り出し元の帳票を１ページ画像として残すかどうかも選択可能である。切り出された領域は、それ自体１つのページ画像として、レイアウト枠などレイアウトされるものである。
【００４１】
（レイアウトテンプレート）
図７は、レイアウトテンプレート３０５に係る情報のデータ構造を説明する模式図である。予め様々なレイアウトテンプレートが登録されており、そのレイアウトテンプレートには各電子データ（ページ画像）を縮小して配置するための座標情報（割合表記）が定義されている。この座標情報と、受信した電子データ（ページ画像）の重み値とを比較することにより、最適なレイアウトテンプレートが決定される。ここで、レイアウト情報（配置可能な矩形領域数）に対して、電子データ（ページ画像）の数が多い場合、レイアウト情報内の最大の領域内に再帰的にレイアウト情報（元のレイアウト情報と別でもよい）を適用することで、ページ画像の数が多すぎるケースに対応することができる。座標情報は割合表記（％）で定義されることで、これを実現している。割合表記とは、基点を定めて矩形状テンプレート全体に対する割合でもって、座標位置を特定する表記方法である。図８は、テンプレートを再帰的に配置する様子を示す図の一例である。
【００４２】
＜動作＞
（前半処理）
図９は、レイアウト印刷システム１００の行う前半処理について説明するシーケンスである。この処理は、ＦＡＸ（画像データ）が受信されてから、画像作成サーバ３によりその複数の画像データ（ページ画像）が縮小され、1枚もしくは少ない枚数のレイアウトにまとめて集約される。また、集約とともに、オリジナル画像データへのリンクが付される。そして、画像作成サーバ３により作成された印刷画像データは、複合機１により印刷文書（集約文書）として紙媒体に印刷される。まず、ここまでの処理について以下、詳しく説明を行う。
【００４３】
ステップＳ９０１において、複合機１は、複数枚のＦＡＸ（画像データ）を受信する。以下、画像データは、複数あるものとする。ステップＳ９０２で、受信した画像データは記憶装置２に送信される。ステップＳ９０３で、記憶装置２は、固有の文書ＩＤを発行してから受信した画像データを記憶（保存）する。ステップＳ９０４で、画像データと文書ＩＤとを画像作成サーバ３（取得部３０１）に送信する。
【００４４】
ステップＳ９０５で、取得部３０１は、画像データと文書ＩＤとを取得し、識別部３０２に送られる。ステップＳ９０６で、識別部３０２は、画像データ毎に帳票タイプを識別する。上述したように、画像データに対して特徴量抽出処理を行って特徴量（交点情報）を抽出し、帳票辞書３０４（３０４−１）を参照して、登録された雛形帳票の特徴量との比較から、帳どの票ＩＤに該当するか特定する。ここでは、例えば６枚の画像データ（文書ＩＤ０００１−０００６）に対して、帳票ＩＤ１、帳票ＩＤ２、帳票ＩＤ２、帳票ＩＤ３、帳票ＩＤ３、帳票ＩＤ３と特定されたとする。
【００４５】
ここで、識別された帳票タイプ（帳票ＩＤ）が、例えば、図６のテーブル３０４−４（切り出し辞書）に登録されている場合、テーブル３０４−４に登録される矩形領域情報で特定される矩形領域を切り出す（切り出し手段）。例えば、帳票ＩＤ１の請求書において、金額が記載される領域は重要なので特に抜き出して大きくレイアウトを取りたいといった場合に有効である。よって、切り出された矩形領域は、それ自体１つのページ画像として、レイアウト枠などレイアウトされるものである。
【００４６】
図９、ステップＳ９０７に進み、識別部３０２（重み値決定部）は、再び帳票辞書３０４（３０４−２）を参照して、重み値を決定する。ここでは、重み値は、
（帳票ＩＤ１、帳票ＩＤ２、帳票ＩＤ２、帳票ＩＤ３、帳票ＩＤ３、帳票ＩＤ３）＝（0.6、0.4、0.4、0.1、0.1、0.1）
と決定されたものとする。なお、帳票ＩＤ１の帳票タイプとされた画像データからは、「△△商事」なる文字列が含まれたものとして重み値は、１加算（＋１）されている。
【００４７】
ステップＳ９０７で、画像データ（及び文書ＩＤ）と重み値とが、印刷画像作成部３０３に送られる。ステップＳ９０８で、印刷画像作成部３０３は、レイアウトテンプレート３０５の中からテンプレートが選択する。レイアウトテンプレートは、画像データの数と、決定された重み値とに基づいて、適切なものが選択される。具体的には、レイアウトテンプレートの中から領域数が入力された画像データの数に近く、かつ大きい表示領域と小さい表示領域の割合が近似するテンプレートを選択する。再び図８を参照して、テンプレート（ＩＤ１）は、７つの矩形領域からなるレイアウトテンプレートである。このテンプレートは、矩形領域の１つは（相対的に）大サイズ、矩形領域の３つは中サイズ、矩形領域の３つは小サイズの矩形領域レイアウトからなる。上述のように、ここでは、６枚の画像データが入力され、重み値は、
（帳票ＩＤ１、帳票ＩＤ２、帳票ＩＤ２、帳票ＩＤ３、帳票ＩＤ３、帳票ＩＤ３）＝（0.6、0.4、0.4、0.1、0.1、0.1）
であるから、重み値から３グループに分類できる。つまり、大サイズで表示するページ画像が1つ、中サイズで表示するページ画像が２つ、小サイズで表示するページ画像が３つである場合に相当する。よって、これ以上に適切なテンプレート、即ち６つの矩形領域を有し、大サイズの矩形領域が１つ、中サイズの矩形領域が２つ、小サイズの矩形領域が３つであるテンプレートなどがなければ、テンプレートＩＤ１が選択される。なお、例えば、重み値が、（帳票ＩＤ１、帳票ＩＤ２、帳票ＩＤ３、帳票ＩＤ３、帳票ＩＤ４、帳票ＩＤ５）＝（0.6、0.4、0.1、0.1、0.05、0.02）である場合、厳密には重み値から５グループに分類できる。しかしながら、最適なテンプレートがなければ、弾力値（誤差値）を例えば、＋−１に取ることで、
（帳票ＩＤ３、帳票ＩＤ３、帳票ＩＤ４、帳票ＩＤ５）＝（0.1、0.1、0.05、0.02）
は、同グループに分類できる。そうすれば、矩形領域の１つは（相対的に）大サイズ、矩形領域の３つは中サイズ、矩形領域の３つは小サイズの矩形領域レイアウトからなるテンプレートを適用できる。
【００４８】
ここで、１テンプレートが有する矩形領域数に対して、画像データ（ページ画像）の数が多すぎる場合、レイアウト情報内の最大の領域内に再帰的にレイアウト情報を適用することで、ページ画像の数が多すぎるケースに対応できる。例えば、再び図９を参照して、画像データ（ページ画像）が１０あるものに対して、登録のあるデザインテンプレートの最大領域数が７であるような場合、既存のテンプレートをそのまま適用すると表示できない画像データ（ページ画像）が３つ発生する。そこで、テンプレートＩＤ２の最大矩形領域に、テンプレートＩＤ１を適用することで、１０の矩形領域（表示領域）を持つテンプレートを作成できる。
【００４９】
図９、ステップＳ９１０に戻り、テンプレートが選択（決定）されると、印刷画像作成部３０３は、画像データ（ページ画像）をそれぞれの矩形領域のサイズに縮小処理を行ってレイアウトを完成させる。図１０は、テンプレートＩＤ１に、画像データ（ページ画像）を縮小してレイアウト処理を行った印刷画像の一例である。ここで、６枚の画像データ（文書ＩＤ０００１−０００６）はページ画像として、１枚の印刷画像データに集約された様子が示されている。
【００５０】
ステップＳ９１１で、印刷画像作成部３０３は、画像データに対応する文書ＩＤをエンコードした識別情報（例えば、一次元、二次元バーコード）を、各画像データ（ページ画像）近辺の余白等に付して、印刷画像データを作成する。識別情報は、バーコードに限らず、その他の符号でもよい。図１１は、画像データ（ページ画像）毎に、二次元バーコードを付した印刷画像データの一例である。これらバーコード利用法については後半処理で説明する。
【００５１】
ステップＳ９１２で、印刷画像作成部３０３は、複合機１に作成した印刷画像データを送信する。ステップＳ９１３で、複合機１は、印刷画像データを印刷媒体に印刷する（印刷文書）。例えば、印刷文書は、図１１に示される（図１１は、上述した印刷画像データの一例であるが、このデータが印刷媒体にそのまま印刷される為）。
【００５２】
（後半処理）
図１２は、レイアウト印刷システム１００の行う後半処理について説明するシーケンスである。この処理は、端末４のバーコードリーダでもって識別情報の読み取りが行なわれる処理である。すると、端末４のディスプレイには、そのオリジナル文書（画像データ）が表示される。以下、詳しく説明を行う。
【００５３】
ステップＳ１２０１において、端末４は、備えるバーコードリーダで、識別情報（二次元バーコード）の読み取りを行なう。これにより、ページ画像に対応した文書ＩＤが取得される。例えば、図１１を参照して、ユーザは、印刷文書上において、端末４のディスプレイで閲覧を所望する帳票（ページ画像）を選択し、その帳票に付されている二次元バーコードをバーコードリーダで読み取る。読み取られたバーコードから文書ＩＤ（例えば、図１１、右上の文書、ＩＤ０００４等）が取得される。
【００５４】
ステップＳ１２０２で、端末４は、記憶装置２に文書ＩＤを送信して、文書ＩＤに対応する画像データ取得要求を行う。
【００５５】
ステップＳ１２０３で、記憶装置２には、画像データが記憶されているので、記憶装置２は、特定した文書ＩＤに対応する画像データを端末４に送信する。
【００５６】
ステップＳ１２０４で、端末４は、ディスプレイなどの表示部に受信した画像データを表示する。ユーザは、所望する帳票をディスプレイ上で、拡大表示等含め詳細に閲覧することができる。
【００５７】
以上、本発明のレイアウト印刷システム１００によれば、複数枚数の文書データを1枚もしくは少ない枚数のレイアウトにまとめて集約して印刷できるので、効率的に紙を利用した業務を行うことができる。ここで、印刷文書上のあるページ画像の視認性が悪く、もしくはあるページ画像を詳細に参照したい場合には、オリジナル文書へのリンクが付されているので、ユーザは、バーコードリーダなどを用いて、簡単にオリジナル文書を閲覧することができる。即ち、本発明によれば、複数の文書を集約してレイアウトすると共に、集約された文書から遡って、簡単にオリジナル文書を閲覧できるレイアウト印刷システムを提供することができる。
【００５８】
＜変形例＞
次に、変形例によるレイアウト印刷システム１００の一実施形態を説明する。図９、ステップＳ９１１で、印刷画像作成部３０３は、二次元バーコードなどの識別情報を各画像データ近辺の余白等に付すことを上述したが、縮小されて集約されるページ画像が多い場合、識別情報があまりに多く、印刷文書の大部分がこれに埋め尽くされてしまう場合がある。これは、視認性や作業効率の低減につながる。そこで、本変形例では、印刷文書に付す識別情報は１つとするとともに、リンクページ（リンク集）を作成しておき記憶装置２に記憶しておく。端末４において識別情報が読み取られたときは、リンクページがディスプレイ上に表示され、リンクページに含まれる各ページ画像をクリック操作などすることで、各ページ画像の参照を可能とする構成とした。以下、説明を行う。
【００５９】
（機能）
図１３は、本発明の変形例に係る画像作成サーバ３の一実施形態の主要機能を示す機能ブロック図である。画像作成サーバ３は、主要な機能として、取得部３０１、識別部３０２、印刷画像作成部３０３、リンクページ作成部３０６、及び（リンクページ）送信部３０７を有する。また、帳票辞書３０４と、レイアウトテンプレート３０５とを備えている。図３を参照して上述した画像作成サーバ３の機能部に、リンクページ作成部３０６と送信部３０７とが付加された構成である。以下、詳しく説明を行うが、取得部３０１、及び識別部３０２については上述したとおりであるので説明は省略する。
【００６０】
印刷画像作成部３０３は、大枠上述したとおりであり、印刷画像データを作成する。しかしながら、本変形例による印刷画像作成部３０３は、二次元バーコードなどの識別情報を各画像データ近辺の余白等に付さない。即ち印刷画像作成部３０３は、これに代えて印刷画像データに、リンクページＩＤをエンコードした１の固有の識別情報を付して、印刷画像データを作成する。図１４は、本変形例による印刷画像作成部３０３により作成された印刷画像データの一例を示す図である。印刷画像データには、１の識別情報１４０１が付されている。
【００６１】
リンクページ作成部３０６は、印刷画像作成部３０３により作成された印刷画像データに対応するリンクページであって、画像データ（ページ画像）に、画像データの文書ＩＤをリンク情報として埋め込んで、リンクページを作成する機能を有している。図１５は、印刷画像データに対応するリンクページの一例を示す図である。見た目上、印刷画像データと同様であるが、画像データ（ページ画像）領域には、対応する文書ＩＤがリンク情報として埋め込まれている。具体的には、リンク先として記憶装置２の格納場所を示すアドレスが指定される。また、識別情報１４０１は付されていない。
【００６２】
送信部３０７は、リンクページ作成部３０６により作成されたリンクページをリンクページＩＤとともに記憶装置２に送信する。そして、記憶装置２ではリンクページをリンクページＩＤとともに記憶しておく。
【００６３】
（動作）
図１６は、本変形例によるレイアウト印刷システム１００の行う後半処理について説明するシーケンスである。この処理は、端末４のバーコードリーダでもって識別情報の読み取りが行なわれる処理である。すると、端末４のディスプレイには、そのリンクページが表示される。以下、詳しく説明を行う。
【００６４】
ステップＳ１６０１において、端末４は、備えるバーコードリーダで、印刷文書において、リンクページＩＤがエンコードされた識別情報（二次元バーコード）の読み取りを行なう。これにより、リンクページＩＤに対応したリンクページＩＤが取得される。例えば、図１４を参照して、ユーザは、印刷文書上において付されている二次元バーコード１４０１をバーコードリーダで読み取る。読み取られたバーコードからリンクページＩＤが取得される。
【００６５】
ステップＳ１６０２で、端末４は、記憶装置２にリンクページＩＤを送信して、リンクページＩＤに対応するリンクページ取得要求を行う。
【００６６】
ステップＳ１６０３で、記憶装置２には、リンクページが記憶されているので、記憶装置２は、特定したリンクページＩＤに対応するリンクページ（データ）を端末４に送信する。
【００６７】
ステップＳ１６０４で、端末４は、ディスプレイなどの表示部に受信したリンクページデータを表示する。ここでユーザは、ディスプレイ上で所望の帳票領域部分に対してクリック操作などを行う。
【００６８】
ステップＳ１６０５で、端末４は、記憶装置２にＩＤを送信して、文書ＩＤに対応する画像データ取得要求を行う。
【００６９】
ステップＳ１６０６で、記憶装置２には、画像データが記憶されているので、記憶装置２は、特定した文書ＩＤに対応する画像データを端末４に送信する。
【００７０】
ステップＳ１６０７、端末４は、ディスプレイなどの表示部に受信した画像データを表示する。ユーザは、所望する帳票をディスプレイ上で、拡大表示等含め詳細に閲覧することができる。
【００７１】
図１７は、印刷文書、リンクページ、及び画像データの対応関係を説明する図の一例である。
【００７２】
なお、識別部３０２は、識別された帳票タイプから複数の電子データ毎に重み値を決定する（重み値決定部）ことは上述した。ここで、重み値について所定の閾値を設け、印刷画像作成部３０３は、閾値を満たさない重み値を有する電子データについては、印刷画像データに含めないようすることができる。即ち、電子データが複数であって、重み値が所定の閾値を満たさない場合、当該電子データは、それほど重要ではなく、にも拘らず、これを含めて印刷画像データを作成すると、視認性を低下させる場合がある。そこで、所定の閾値を満たさない電子データについては、印刷画像データに含めないようにし、これに代えて、印刷画像データ上の余白部等に、例えば、「他３件のデータがあります」といった表示を行なう。このほか３件のデータとは、閾値を満たさなかった３件のデータを意味する。そして、リンクページ作成部３０６は、リンクページ上に、この「他３件のデータのデータがあります」という表示から、オリジナル文書へのリンクを作成する。このようにすると、複合機１により印刷文書（集約文書）として紙媒体に印刷されたとき、閾値を満たさない電子データによる文書は、紙面上に印刷されない。これにより、特に電子データが多い場合、視認性を高めることができる。ユーザは、当該ページ画像（他３件のデータ）を詳細に参照したい場合には、ユーザは端末４のバーコードリーダでもってリンクの読み取りを行なう。すると、端末４のディスプレイ上に、「他３件のデータ」へのリンクは表示され、そのリンクからオリジナル文書を辿ることができる。
【００７３】
以上、本変形例のレイアウト印刷システム１００によれば、複数枚数の文書データ（電子データ）を1枚もしくは少ない枚数のレイアウトにまとめて集約して印刷できるので、効率的に紙を利用した業務を行うことができる。ここで、印刷文書上のあるページ画像の視認性が悪く、もしくはあるページ画像を詳細に参照したい場合には、リンクページへのリンクが付されているので、ユーザは、バーコードリーダなどを用いて、簡単に（リンクページを経由して）オリジナル文書を閲覧することができる。また、印刷文書に付す識別情報を１つとするので、印刷文書の視認性や作業効率の向上させることができる。
【００７４】
なお、本発明は係る特定の実施形態に限定されるものではなく、特許請求の範囲に記載された本発明の要旨の範囲内において、種々の変形・変更が可能である。
【図面の簡単な説明】
【００７５】
【図１】本発明によるレイアウト印刷システム１００のネットワーク構成図である。
【図２】本発明による画像作成サーバ３の一実施形態の主要構成を示すハードウェア構成図である。
【図３】本発明の実施形態に係る画像作成サーバ３の一実施形態の主要機能を示す機能ブロック図である。
【図４】帳票辞書３０４のデータ構造を説明する模式図である。
【図５】帳票タイプの一例を示す図である。
【図６】帳票辞書３０４のデータ構造を説明する模式図である。
【図７】レイアウトテンプレート３０５に係る情報のデータ構造を説明する模式図である。
【図８】テンプレートを再帰的に配置する様子を示す図の一例である。
【図９】レイアウト印刷システム１００の行う前半処理について説明するシーケンスである。
【図１０】テンプレートＩＤ１に、画像データ（ページ画像）を縮小してレイアウト処理を行った印刷画像の一例である。
【図１１】画像データ（ページ画像）毎に、二次元バーコードを付した印刷画像データの一例である。
【図１２】レイアウト印刷システム１００の行う後半処理について説明するシーケンスである。
【図１３】本発明の変形例に係る画像作成サーバ３の一実施形態の主要機能を示す機能ブロック図である。
【図１４】本変形例による印刷画像作成部３０３により作成された印刷画像データの一例を示す図である。
【図１５】印刷画像データに対応するリンクページの一例を示す図である。
【図１６】本変形例によるレイアウト印刷システム１００の行う後半処理について説明するシーケンスである。
【図１７】印刷文書、リンクページ、及び画像データの対応関係を説明する図の一例である。
【符号の説明】
【００７６】
１        複合機
２        記憶装置
３        画像作成サーバ
４        端末
５        ネットワーク
２０１    ＣＰＵ
２０２    ＲＯＭ
２０３    ＲＡＭ
２０４    補助記憶装置
２０５    記憶媒体読取装置
２０６    入力装置
２０７    表示装置
２０８    通信装置
３０１    取得部
３０２    識別部
３０３    印刷画像作成部
３０４    帳票辞書
３０５    レイアウトテンプレート
３０６    リンクページ作成部
３０７    送信部
【図１】
2010039943.tif 000003
【図２】
2010039943.tif 000004
【図３】
2010039943.tif 000005
【図４】
2010039943.tif 000006
【図５】
2010039943.tif 000007
【図６】
2010039943.tif 000008
【図７】
2010039943.tif 000009
【図８】
2010039943.tif 000010
【図９】
2010039943.tif 000011
【図１０】
2010039943.tif 000012
【図１１】
2010039943.tif 000013
【図１２】
2010039943.tif 000014
【図１３】
2010039943.tif 000015
【図１４】
2010039943.tif 000016
【図１５】
2010039943.tif 000017
【図１６】
2010039943.tif 000018
【図１７】
2010039943.tif 000019